(57)【要約】【課題】キー挿入孔を囲むように蓄光シートを配設する場合の、キー挿入時に蓄光シートが傷付くのを防止できるキーシリンダを提供する。【解決手段】キー挿入孔にキーを差し込んで回動させるようにしたキーシリンダにおいて、発光機能を有する蓄光層３６より表面側に、該蓄光層３６の蓄光を可能とする透過性を有し、かつ所定値以上の硬度を有する保護層３４を設けてなる蓄光シート３３を上記キー挿入孔の少なくとも一部を囲むように配設する。【選択図】      図１
2005042527.tif 000002
【特許請求の範囲】
【請求項１】
キー挿入孔にキーを差し込んで回動させるようにしたキーシリンダにおいて、発光機能を有する蓄光層より表面側に該蓄光層の蓄光を可能とする透過性を有しかつ所定値以上の硬度を有する保護層を設けてなる蓄光シートを、上記キー挿入孔の少なくとも一部を囲むように配設したことを特徴とするキーシリンダ。
【請求項２】
キー挿入孔にキーを差し込んで回動させるようにしたキーシリンダにおいて、少なくとも上記キー挿入孔が形成されたキー挿入面，該キー挿入面より外側に位置する外表面及び該外表面とキー挿入面とを&#32363;ぐつなぎ面を備え、発光機能を有する蓄光シートを該蓄光シートの内縁が上記つなぎ面の外側に位置するようにかつ上記キー挿入孔の少なくとも一部を囲むように上記外表面に配設したことを特徴とするキーシリンダ。
【請求項３】
キー挿入孔にキーを差し込んで回動させるようにしたキーシリンダにおいて、発光機能を有するとともに、上記キー挿入孔の位置を推測可能の表示部を有する蓄光シートを、上記キー挿入孔の少なくとも一部を囲むように配設したことを特徴とするキーシリンダ。
【請求項４】
キー挿入孔にキーを差し込んで回動させるようにしたキーシリンダにおいて、少なくとも上記キー挿入孔が形成されたキー挿入面，該キー挿入面より外側に位置する外表面及び該外表面とキー挿入面とを&#32363;ぐつなぎ面とを備え、発光機能を有するとともに上記キー挿入孔の位置を推測可能の表示部を有する蓄光シートを、該蓄光シートの内縁が上記つなぎ面の外側に位置するようにかつ上記キー挿入孔の少なくとも一部を囲むように上記外表面に配設したことを特徴とするキーシリンダ。
【請求項５】
請求項２ないし４の何れかにおいて、上記蓄光シートは、発光機能を有する蓄光層より表面側に該蓄光層の蓄光を可能とする透過性を有しかつ所定値以上の硬度を有する保護層を設けた構造となっていることを特徴とするキーシリンダ。
【請求項６】
請求項１ないし５の何れかにおいて、上記蓄光シートは、蓄光層より表面側に紫外線遮断層を備えているか、あるいは蓄光層に紫外線保護剤が含有されていることを特徴とするキーシリンダ。
【請求項７】
請求項１ないし６の何れかにおいて、上記蓄光シートは、キーシリンダ本体への取付け，取り外しを可能とする粘着層を備えていることを特徴とするキーシリンダ。
【発明の詳細な説明】
【技術分野】
【０００１】
本発明は、キー挿入孔にキーを差し込んで回動させることにより例えばイグニッション装置をオン・オフする、あるいはロック装置をロック・アンロックするようにしたキーシリンダに関する。
【背景技術】
【０００２】
例えば、自動二輪車では、夜間等にキーをキーシリンダに差し込む場合、キー挿入孔が見えにくいという問題がある。このような夜間等におけるキーの差し込みを容易に行なえるようにするためには、キー挿入孔の周囲を蓄光シートで囲むことが有効である。
【０００３】
このようなキーシリンダ用の蓄光シートとして、例えば、紫外線吸収剤を含む透明合成樹脂層で蓄光顔料を有する蓄光層の表面を被覆し、上記透明合成樹脂層の表面に文字や記号を印刷したものを採用することが考えられる（例えば、特許文献１参照）。
【特許文献１】特開昭６０−１３５２４６号公報
【発明の開示】
【発明が解決しようとする課題】
【０００４】
ところが、上記従来公報の蓄光シートを採用した場合には、キー挿入時にキーが蓄光シートに当たって該蓄光シートを傷付けるという懸念がある。
【０００５】
また、上記従来の蓄光シートでは、屋外にて長期間使用すると太陽光により蓄光層が劣化し、蓄光性能が低下するという懸念がある。即ち、上述のように透明合成樹脂層の表面に文字等を印刷すると、該印刷層と蓄光層との境界部が熱ムラによって日焼けし、蓄光層が劣化して変色（白色化）することが懸念される。
【０００６】
本発明は、上記従来の実情に鑑みてなされたもので、キー挿入孔の外辺部に蓄光シートを配設する場合の、キー挿入時の傷つきを防止できるとともに、日焼けによる劣化を防止できるキーシリンダを提供することを目的としている。
【課題を解決するための手段】
【０００７】
請求項１の発明は、キー挿入孔にキーを差し込んで回動させるようにしたキーシリンダにおいて、発光機能を有する蓄光層より表面側に該蓄光層の蓄光を可能とする透過性を有しかつ所定値以上の硬度を有する保護層を設けてなる蓄光シートを、上記キー挿入孔の少なくとも一部を囲むように配設したことを特徴としている。
【０００８】
請求項２の発明は、キー挿入孔にキーを差し込んで回動させるようにしたキーシリンダにおいて、少なくとも上記キー挿入孔が形成されたキー挿入面，該キー挿入面より外側に位置する外表面及び該外表面とキー挿入面とを&#32363;ぐつなぎ面を備え、発光機能を有する蓄光シートを該蓄光シートの内縁が上記つなぎ面の外側に位置するようにかつ上記キー挿入孔の少なくとも一部を囲むように上記外表面に配設したことを特徴としている。
【０００９】
請求項３の発明は、キー挿入孔にキーを差し込んで回動させるようにしたキーシリンダにおいて、発光機能を有するとともに、上記キー挿入孔の位置を推測可能の表示部を有する蓄光シートを、上記キー挿入孔の少なくとも一部を囲むように配設したことを特徴としている。
【００１０】
請求項４の発明は、キー挿入孔にキーを差し込んで回動させるようにしたキーシリンダにおいて、少なくとも上記キー挿入孔が形成されたキー挿入面，該キー挿入面より外側に位置する外表面及び該外表面とキー挿入面とを&#32363;ぐつなぎ面とを備え、発光機能を有するとともに上記キー挿入孔の位置を推測可能の表示部を有する蓄光シートを、該蓄光シートの内縁が上記つなぎ面の外側に位置するようにかつ上記キー挿入孔の少なくとも一部を囲むように上記外表面に配設したことを特徴としている。
【００１１】
請求項５の発明は、請求項２ないし４の何れかにおいて、上記蓄光シートは、発光機能を有する蓄光層より表面側に該蓄光層の蓄光を可能とする透過性を有しかつ所定値以上の硬度を有する保護層を設けた構造となっていることを特徴としている。
【００１２】
請求項６の発明は、請求項１ないし５の何れかにおいて、上記蓄光シートは、蓄光層より表面側に紫外線遮断層を備えているか、あるいは蓄光層に紫外線保護剤が含有されていることを特徴としている。
【００１３】
請求項７の発明は、請求項１ないし６の何れかにおいて、上記蓄光シートは、キーシリンダ本体への取付け，取り外しを可能とする粘着層を備えていることを特徴としている。
【発明の効果】
【００１４】
請求項１の発明のキーシリンダによれば、蓄光層より表面側に所定値以上の硬度，例えばキー挿入時に目視できるほどの傷が付かない程度の硬度を有する保護層を設けたので、キーが当たっても保護層ひいては蓄光層が傷付くのを防止でき、蓄光性能及び見栄えの悪化を防止できる。
【００１５】
請求項２の発明によれば、蓄光シートをつなぎ面の外側の外表面に配設したので、キー挿入孔の視認性を確保しつつ、蓄光シートをキー挿入孔から離れた位置に配置することができ、キーが蓄光シートに当たりにくく、蓄光シートの傷付きを防止できる。
【００１６】
請求項３の発明では、キー挿入孔の挿入位置を表示する表示部を備えた蓄光シートを配設したので、キー挿入位置を暗闇でも容易に視認することができ、またキー挿入が容易であることからキー挿入時にキーが蓄光シートに当たるのを回避でき、蓄光シートの傷付きを防止できる。
【００１７】
請求項４の発明では、キー挿入孔の挿入位置を表示する表示部を備えた蓄光シートをつなぎ面の外側の外表面に配設したので、蓄光シートをキー挿入孔から離れた位置に配置することができ、キーが蓄光シートに当たりにくく、しかもキー挿入位置を暗闇でも容易に視認することができ、蓄光シートの傷付きをより確実に防止できる。
【００１８】
請求項５の発明では、蓄光層より表面側に所定値以上の硬度を有する保護層を設けたので、キーが当たっても保護層ひいては蓄光層が傷付くのを防止でき、蓄光性能及び見栄えの悪化を防止できる。
【００１９】
請求項６の発明では、蓄光層より表面側に紫外線遮断層を設けるか、あるいは蓄光層に紫外線保護剤を含有させたので、太陽光の紫外線が蓄光層に及ぶのを抑制でき、例えば屋外で長期間使用した場合にも日焼けによる変色や劣化を抑制できる。
【００２０】
請求項７の発明では、蓄光シートに取付け，取り外しを可能とする粘着層を設けたので、キーシリンダ本体への取付け作業を簡単に行なえるとともに、例えば蓄光シートが傷付いたり劣化したりした場合の交換が可能となる。
【発明を実施するための最良の形態】
【００２１】
以下、本発明の実施の形態を添付図面に基づいて説明する。
【００２２】
図１ないし図８は、本発明の一実施形態（第１実施形態）によるキーシリンダを説明するための図であり、図１は蓄光シートの積層構成図、図２は蓄光シートの平面図、図３はキーシリンダの一部断面図、図４，図５，図６はそれぞれメインスイッチの平面図，正面図，側面図、図７はシートに着座した状態で見たレッグシールドの背面図、図８はスクータ型自動二輪車の側面図である。
【００２３】
図において、１はスクータ型自動二輪車であり、これは不図示の車体フレームにより枢支されたフロントフォーク２に前輪３を配設するとともに、上下揺動自在に枢支されたスイング式エンジンユニット４に後輪５を配設し、前，後輪３，５の間にシート６を搭載した概略構造を有している。上記フロントフォーク２にはステアリングシャフト（不図示）を介在させて操向ハンドル７が固定されている。
【００２４】
上記車体フレームは車体カバー８により囲まれており、該車体カバー８は、主として操向ハンドル７の前側に配設されたカウリング９と、該カウリング９の後側に配設されたレッグシールド１０と、足載せ部を構成するフートボード１１と、上記シート６の左右下方を覆うサイドカバー１２とを備えており、上記カウリング９にはスクリーン１３が配設されている。
【００２５】
上記カウリング９の上縁部とレッグシールド１０の上縁部とで囲まれた開口部分にメータパネル１５が配設されている。該メータパネル１５の中央部にはステアリング挿通孔１５ａが形成され、該ステアリング挿通孔１５ａの前側には速度計，燃料計，水温計等の計器類が配設されたメータユニット１６が配設されている。またメータユニット１６の前側には前方からの光を遮蔽するメータバイザ１５ｂが起立形成されている。
【００２６】
上記レッグシールド１０の左，右側部には物入れ部１０ａ，１０ｂが形成されている。この各物入れ部１０ａ，１０ｂは、レッグシールド１０の一部を前方に膨出させてボックス部を形成し、該ボックス部の開口をリッド１７，１８により開閉するように構成されている。
【００２７】
上記左右の物入れ部１０ａ，１０ｂの間の車両中心より右側寄りには車両前側に凹設された取付け座１０ｃが形成されており、該取付け座１０ｃにメインスイッチ装置２０が配設されている。
【００２８】
このメインスイッチ装置２０は、盗難，悪戯を防止するイモビライザユニット２１とメインスイッチユニット２２とを一体に接続して構成されている。また上記メインスイッチ装置２０はイモビライザユニット２１に形成されたブラケット部２１ａを介して車体フレームにボルト締め固定されている。
【００２９】
上記メインスイッチユニット２２は、ユニットケース２３に形成されたシリンダケース部２３ａ内にキーシリンダ２５を装着固定するとともに、該ユニットケース２３に形成された凹状のボックス部２３ｂにキーシリンダ２５に電気的に接続された配線ケーブル２６をクランプした構造となっている。
【００３０】
上記キーシリンダ２５は、キー挿入孔２７ａを有する円筒状のキー挿入部２７をＯＮ−ＯＦＦ−ＬＯＣＫ−Ｐの間で回動可能に支持するシリンダ本体２８を備えている。キー２９をキー挿入孔２７ａに差し込んで回動させることにより、イグニッション装置のオン・オフ，ハンドルロック装置のロック・アンロックを行なうようになっている。
【００３１】
上記シリンダケース部２３ａの上端部は上記レッグシールド１０の取付け座１０ｃから車両後方に突出しており、該突出部分の外周面にはシボ加工による凹凸模様が形成されている。
【００３２】
上記シリンダケース部２３ａの突出端面２３ｃには円形の開口２３ｄが形成されており、該開口２３ｄの周縁には横断面視で中心側にＲ状に湾曲する舌片部２３ｅが環状に形成されている。この舌片部２３ｅに上記シリンダ本体２８の上端面が当接しており、これによりキー挿入孔２７ａはシリンダケース２３ａの上端面２３ｃより車両前側にへこんでいる。またシリンダ本体２８と舌片部２３ｅとの間にはシールリング３０が介設されている。
【００３３】
上記キー挿入部２７のキー挿入孔２７ａが形成されたキー挿入面２７ａ′はキー挿入孔２７ａと同一平面をなすように形成されている。またキー挿入面２７ａ′の外側に位置する外表面である上記突出端面２３ｃはキー挿入面２７ａ′と平行に形成されており、該キー挿入面２７ａ′と上記外表面（突出端面）２３ｃとをつなぐつなぎ面としての上記舌片部２３ｅは上記Ｒ状に形成されている。
【００３４】
上記シリンダケース部２３ａのつなぎ面２３ｅの外側に位置する外表面２３ｃの外周部には、キー挿入孔２７ａを囲むように環状のシート溝２３ｆが形成されており、このシート溝２３ｆ内に環状に形成された蓄光シート３３が外表面２３ｃと面一となるように配設されている。
【００３５】
上記蓄光シート３３は、これに形成された切欠き凹部（位置決め係合部）３３ａをシート溝２３ｆに形成された係合部２３ｇに係合させることにより、回動不能に位置決めされている。上記蓄光シート３３の切欠き凹部３３ａを係合部２３ｇに係合させることによって、上記キー挿入部２７の操作位置と蓄光シート３３の文字との位置合わせを簡単に行なうことができる。
【００３６】
そして上記蓄光シート３３は、所定値以上の硬度、即ち、キー２９の挿入時にこのキー２９が突き当った場合でも肉眼で視認できるほどの傷が付くことのない硬度を有する透明樹脂製の保護層３４と、該保護層３４の裏面に配置され、上述のＯＮ−ＯＦＦ−ＬＯＣＫ−Ｐ等の文字，矢印等の記号が印刷された印刷層３５と、該印刷層３５の裏面に配置された蓄光層３６と、さらに上記保護層３４の表面に配置された紫外線遮断層３７とを有し、これらの各層を積層固着した構成となっている。さらにまた上記蓄光層３６の裏面には粘着層３８が配置されており、該粘着層３８により上記蓄光シート３３は上記シート溝２３ｆ内に取り外し可能に貼着固定されている。
【００３７】
上記蓄光シート３３は、図１（ａ）に示すように表面側から順に、上記紫外線遮断層３７，保護層３４，印刷層３５を積層し、該印刷層３５上に蓄光塗料を塗布することにより、蓄光層３６を形成し、該蓄光層３６上に粘着層３８を積層することにより製造されたものである。なお、上記蓄光シート３３の製造においては、上下反転させて表面側の紫外線遮断層３７を下側に置いて製造されることとなる。
【００３８】
ここで、上記製造方法による場合は、上記蓄光層３６は、上記蓄光塗料の一部が上記印刷層３５の文字等の間を埋めるように進入することにより形成されており、この進入した部分３６ａが本来の機能を果すものである。従ってこの蓄光層３６の文字等の背面側に位置する部分３６ｂは薄いものであっても良く、それだけ蓄光塗料の必要量は少なくて済むこととなる。
【００３９】
上記保護層３４は、例えば、ポリエチレン樹脂，ウレタン樹脂，ポリカーボネイド樹脂，アクリル樹脂，ポリプロピレン樹脂等からなるＰＥＴラミネート層で構成されている。この保護層３４をＰＥＴラミネート層により構成することによって、透明性及び強度を高めることができ、キー挿入時の傷付きを確実に防止することができる。また上記紫外線遮断層３７は、太陽光の紫外線をカットする機能を有する化合物により構成されている。
【００４０】
上記蓄光層３６は、蓄光顔料と結合剤とからなり、太陽光，電灯光等を吸収して蓄えるとともに、蓄えた光を発光する機能を有している。この蓄光層３６は、例えば、アルカリ土類金属の硫化物及び硫化亜鉛を主成分とし、これに微量の重金属を添加してなる燐光体により構成されている。ここで、ラジウム等の放射性元素を加えることにより、燐光性能を高めることが可能であり、これにより暗闇で長時間発光させることが可能となる。
【００４１】
図９及び図１０は、本実施形態の効果を確認するために行なった試験結果を示す図である。本試験では、保護層の裏面に印刷層，蓄光層を配置するとともに、表面に紫外線遮断層を配置した蓄光シートを準備し、これに紫外線を長時間照射して印刷層の変色状態を調べた（図９（ａ），（ｂ）参照）。また比較するために紫外線遮断層を備えていない蓄光シートについても同様の変色状態を調べた（図１０（ａ），（ｂ）参照）。
【００４２】
図１０（ｂ）に示すように、比較のために作成した蓄光シートでは、日焼けにより文字部分が変色している。特にＩＧＮＩＴＩＯＮ及びＯＮと表示している文字の部分の変色が顕著であった。これに対して、本実施形態の蓄光シートの場合には、文字部分の全体にわたって全く変色が生じていない。
【００４３】
このように本実施形態によれば、蓄光シート３３を、ＰＥＴラミネートからなる保護層３４の裏面にＯＮ−ＯＦＦ−ＬＯＣＫ等の文字，記号が印刷された印刷層３５，蓄光層３６を順次配置し、上記保護層３４の表面に紫外線遮断層３７を配置して構成したので、太陽光の紫外線が印刷層３５及び蓄光層３６に及ぶことはほとんどなく、車体を屋外にて長期間使用した場合にも日焼けによる変色を防止でき、蓄光層３６の劣化を抑制できる。
【００４４】
また上記保護層３４を所定値以上の硬度を有するＰＥＴラミネート樹脂により構成したので、キー挿入時にキー２９が蓄光シート３３に当たっても保護層３４ひいては蓄光層３６が傷付くのを防止でき、蓄光性能及び見栄えの悪化を防止できる。
【００４５】
さらに上記蓄光層３６の裏面に粘着層３８を配置したので、該粘着層３８をシリンダケース部２３ａのシート溝２３ｆに貼着するだけの簡単な作業で蓄光シート３３を確実に取付けることができ、また蓄光シート３３の傷付きや劣化による交換が可能となる。
【００４６】
本実施形態では、上記蓄光シート３３を、キーシリンダ２５のつなぎ面２３ｅの外側の外表面２３ｃに配置したので、キー挿入孔２７ａの視認性を確保しつつ、蓄光シート３３をキー挿入孔２７ａから離れた位置に配置でき、キー２９が蓄光シート３３に当たるのを回避でき、この点からも蓄光シート３３の傷付きを防止できる。
【００４７】
上記蓄光シート３３をキー挿入孔２７ａの外側全周を囲むように環状に形成したので、キー挿入位置を暗闇でも容易に視認することができる。
【００４８】
また上記蓄光シート３３を、表面側の紫外線遮断層３７から順に、保護層３４，印刷層３５を積層し、これに蓄光塗料の塗布によって蓄光層３６を形成し、さらに粘着層３８を積層して製造したので、製造に必要な蓄光量を最小限に抑えることができ、ひいてはコストを低減できる。
【００４９】
なお、上記実施形態では、蓄光シート３３を表面側から順次積層して製造した場合を説明したが、本発明では裏面側の粘着層から順に積層して製造してもよい。このようにする場合には、図１（ｂ）に示すように、粘着層３８上に薄膜状の蓄光膜を積層することにより蓄光層３６を形成することとなる。この製造方法による場合は、蓄光層３６を別工程で作成することができ、コストの低減を図ることができる。
【００５０】
また、上記実施形態では、蓄光シート３３を環状に形成した場合を説明したが、本発明の蓄光シートはこの形状に限られるものではなく、各種の変形例が考えられる。例えば、図１１（ａ）に示すように、環状の蓄光シート３３のＯＮ，ＯＦＦの何れかに対応する位置に矢印状の突起３３ｂを形成してもよい。
【００５１】
図１１（ｂ）は、蓄光シート４０を下方が開口する概ねＣ字状に形成し、この蓄光シート４０をキー挿入孔の外周部を囲むように配置した例であり、また図１１（ｃ）は、蓄光シート４１を一対の蓄光シート部４１ａ，４１ｂに分割してキー挿入孔の外周部を囲むように配置した例である。
【００５２】
図１２（ａ）は、蓄光シート４２を４つの蓄光部４２ａ〜４２ｄにより構成し、各蓄光部４２ａ〜４２ｄをキー挿入孔２７ａの外周部を囲むように９０度間隔で配設した例であり、また図１２（ｂ）は、２つの蓄光部４２ａ，４２ｃをキー挿入孔２７ａを挟んで対向するように配設した例である。
【００５３】
また、図１３（ａ）は、キー挿入孔２７ａのオフ位置のみを表示する観点から、三角形状の蓄光シート４３を垂直に向けて形成されたキー挿入孔２７ａの上側の一カ所に配置した例であり、図１３（ｂ）は、２つの蓄光シート４３，４３を傾斜するキー挿入孔２７ａの上，下側部の２カ所に配置した例であり、図１３（ｃ）は、ＯＦＦの文字が印刷されたチップ状の蓄光シート４４を配置した例である。この何れの例においても、キー挿入孔２７ａの位置を容易に視認できるように表示する表示部となっており、またキーシリンダ仕様に応じて蓄光シートの形状，配置関係を自由に設定でき、汎用性を高めることができる。
【００５４】
上記実施形態では、キー挿入孔２７ａが形成されたキー挿入面２７ａ′をキー挿入孔２７ａの外縁面Ｓと同一平面をなすように形成したが、本発明では、図１４に示すように、キー挿入面２７ａ′を、外表面２３ｃと平行で該外表面２３ｃまでの距離より上記外縁面Ｓまでの距離が小さく設定された，つまりキー挿入孔２７ａの外縁面Ｓに対して段付き状に形成しても良い。
【００５５】
また外表面２３ｃに関しては、図１５（ａ）に示すように、つなぎ面２３ｅの上縁に面取りのための傾斜面２３ｃ′を形成した場合、図１５（ｂ）に示すように、つなぎ面２３ｅの上縁に段付き面２３ｃ″を形成した場合も含まれる。この場合には、外表面２３ｃを構成する傾斜面２３ｃ′や段付き面２３ｃ″に蓄光シートを配設することも可能である。さらに図１６（ａ）に示すように、外表面２３ｃがキー挿入面２７ａ′に対して傾斜する場合、図１６（ｂ）に示すように、外表面２３ｃがつなぎ面２３ｅに連続して傾斜する場合も含まれる。
【００５６】
つなぎ面２３ｅに関しては、図１７（ａ）に示すように、キー挿入面２７ａ′に対して垂直面２３ｅ′をなすように形成した場合、図１７（ｂ）示すように、キー挿入面２７ａ′に対して傾斜面２３ｅ″をなすように形成した場合も含まれる。また図１８（ａ）に示すように、キー挿入面２７ａ′に対して垂直面２３ｅ′と傾斜面２３ｅ″との両方を備えた場合、図１８（ｂ）に示すように、キー挿入面２７ａ′に対して傾斜面２３ｅ″と垂直面２３ｅ′との両方を備えた場合も含まれる。
【００５７】
図１９（ａ），（ｂ）は、本発明の第２実施形態による蓄光シートを説明するための図である。図中、図１と同一符号は同一又は相当部分を示す。
【００５８】
本実施形態の蓄光シート５０は、図１９（ａ）に示すように、表面側から順に、透過性を有しかつ所定値以上の硬度を有するとともに紫外線遮断処理が施された保護層３４′上に、文字，記号，模様等が印刷された印刷層３５を積層し、該印刷層３５上に発光機能を有する蓄光塗料を塗布することにより蓄光層３６を形成し、該蓄光層３６上にキーシリンダ本体に貼着するための粘着層３８を積層して製造されたものである。
【００５９】
このように本実施形態では、第１実施形態と略同様の効果が得られる。特に蓄光塗料を印刷層３５上に塗布することにより蓄光層３６を形成したので、上記図１（ａ）の場合と同様に製造に必要な蓄光塗料の量を最小限に抑えることができ、コストの低減が可能となる。
【００６０】
なお、上記実施形態では、蓄光シート５０を表面側から順次積層して製造した場合を説明したが、この蓄光シート５０を、図１９（ｂ）に示すように、裏面側の粘着層３８から順次積層して製造してもよい。この場合には、粘着層３８上に薄膜状の蓄光膜を積層することにより蓄光層３６を形成することとなる。この製造方法による場合は、蓄光層３６を別工程で作成することができ、コストの低減を図ることができる。
【００６１】
図２０は、本発明の第３実施形態による蓄光シートを説明するための図である。図中、図１と同一符号は同一又は相当部分を示す。
【００６２】
本実施形態の蓄光シート５１は、透過性を有しかつ所定値以上の硬度を有する保護層３４と、文字，記号，模様等が印刷された印刷層３５と、透過性を有する紫外線遮断層３７と、発光機能を有する蓄光層３６と、キーシリンダ本体に貼着するための粘着層３８とにより形成されている。この蓄光シート５１は上記粘着層３８上に薄膜状の蓄光膜を積層して蓄光層３６を形成し、これの上に紫外線遮断層３７，印刷層３５，保護層３４を順次積層して製造されたものである。本実施形態では、蓄光層３６を別工程で作成することができ、上記同様にコストの低減を図ることができる。
【００６３】
さらにまた、上記図１９（ａ），（ｂ）の実施形態では、保護層３４′を紫外線遮断処理が施されたものとしたが、図２１（ａ），（ｂ）に第４実施形態を示すように、蓄光層３６′を紫外線遮断処理が施されたものとすることもできる。このようにした場合にも、図１９（ａ），（ｂ）の第２実施形態の場合と同様の作用効果が得られる。
【００６４】
図２２は、本発明の第５実施形態による蓄光シートを説明するための図である。図中、図１と同一符号は同一又は相当部分を示す。
【００６５】
本実施形態の蓄光シート５２は、透過性を有しかつ所定値以上の硬度を有する保護用フィルムと透明ＰＥＴＰからなる保護層３４と、これの裏面に文字，記号，模様等を印刷してなる印刷層３５と、発光機能を有する蓄光塗料を複数回塗布して形成された蓄光層３６と、両面テープからなる粘着層３８とにより形成されている。
【００６６】
この例では、保護層３４と印刷層３５を積層し、これに蓄光塗料を塗布して蓄光層を形成したので、図１（ａ）の場合と同様に蓄光塗料の必要量を減少でき、コストを削減できる。
【００６７】
図２３は、本発明の第６実施形態による蓄光シートを説明するための図である。図中、図１と同一符号は同一又は相当部分を示す。
【００６８】
本実施形態の蓄光シート５３は、透過性を有しかつ所定値以上の硬度を有する保護用フィルム及びＰＥＴラミネートからなる保護層３４と、上面に文字，記号，模様等からなる印刷層３５が形成された薄膜状の蓄光膜からなる蓄光層３６と、粘着層３８とにより形成されている。
【００６９】
この例では、粘着層３８上に蓄光膜を積層して蓄光層３６を形成し、これに印刷層３５，保護用フィルム及びＰＥＴラミネートからなる保護層３４を順次積層して製造されたものである。この例においては、蓄光層３６を別工程で形成することができる。
【００７０】
ここで、上述の第１〜第６実施形態で説明したように、本発明の蓄光シートに関しては、以下のように構成されている場合が含まれる。
【００７１】
即ち、上記蓄光シートのキーシリンダ本体への取付け位置が位置決め係合部により位置決めされている。上記蓄光シートが上記キー挿入孔の全周を囲む環状に形成されている。上記蓄光シートが複数の蓄光部により構成されており、該各蓄光部は上記キー挿入孔を囲むように間隔をあけて配設されている。上記蓄光シートが上記キー挿入孔の位置を表示する表示部のみに蓄光層を有している。
【００７２】
またキーシリンダに関しては、以下のように構成されている場合が含まれる。
【００７３】
上記キー挿入面は、上記キー挿入孔の外縁面と同一平面か、あるいは該外縁面と略平行で上記外表面までの距離より上記外縁面までの距離が小さく設定された段付き平面である。上記外表面は、上記キー挿入面に平行な平行面か又は傾斜する傾斜面か、あるいはさらに上記つなぎ面との境界部に段付き平面又は面取りのための傾斜面を有する面である。上記つなぎ面は、上記キー挿入面に対して垂直な垂直面か又は傾斜をなす傾斜面か、あるいは垂直面，傾斜面の両方を備えた面である。
【００７４】
上記蓄光シートの積層構造に関しては、以下の場合が含まれる。
【００７５】
即ち、表面側から順に、蓄光層の蓄光を可能とする透過性を有する紫外線遮断層と、所定値以上の硬度を有し、かつ蓄光層の蓄光を可能とする透過性を有する保護層と、文字，記号，模様の少なくとも何れかが印刷された印刷層と、発光機能を有する上記蓄光層と、キーシリンダ本体に取付けるための粘着層とを積層して形成する。表面側から順に、蓄光層の蓄光を可能とする透過性を有し、かつ所定値以上の硬度を有するとともに紫外線遮断処理が施された保護層と、文字，記号，模様の少なくとも何れかが印刷された印刷層と、発光機能を有する上記蓄光層と、キーシリンダ本体に取付けるための粘着層とを積層して形成する。また表面側から順に、蓄光層の蓄光を可能とする透過性を有し、かつ所定値以上の硬度を有する保護層と、文字，記号，模様の少なくとも何れかが印刷されたた印刷層と、蓄光層の蓄光を可能とする透過性を有する紫外線遮断層と、上記発光機能を有する蓄光層と、キーシリンダ本体に取付けるための粘着層とを積層して形成する。さらに表面側から順に、蓄光層の蓄光を可能とする透過性を有し、かつ所定値以上の硬度を有する保護層と、文字，記号，模様の少なくとも何れかが印刷された印刷層と、発光機能を有するとともに紫外線遮断処理が施された蓄光層と、キーシリンダ本体に取付けるための粘着層とを積層して形成する。
【００７６】
上記蓄光シートの製造に関しては、以下のようにして製造されたものが含まれる。
【００７７】
上記紫外線遮断層上に上記保護層，上記印刷層を積層形成し、該印刷層上に蓄光塗料を塗布することにより上記蓄光層を形成し、該蓄光層上に上記粘着層を形成する。上記粘着層上に薄膜状の蓄光膜を積層することにより上記蓄光層を形成し、該蓄光層上に上記印刷層，保護層，紫外線遮断層を積層形成する。上記紫外線遮断処理が施された保護層上に上記印刷層を積層形成し、該印刷層上に蓄光塗料を塗布することにより上記蓄光層を形成し、該蓄光層上に上記粘着層を形成する。上記粘着層上に薄膜状の蓄光膜を積層することにより上記蓄光層を形成し、該蓄光層上に上記印刷層，上記紫外線遮断処理が施された保護層を積層形成する。また上記粘着層上に、薄膜状の蓄光膜を積層して蓄光層を形成し、該蓄光層上に上記紫外線遮断層，印刷層，保護層を積層形成する。上記保護層上に上記印刷層を形成し、該印刷層上に紫外線遮断処理が施された蓄光塗料を塗布することにより上記蓄光層を形成し、該蓄光層上に粘着層を形成する。さらに上記粘着層上に紫外線遮断処理が施された薄膜状の蓄光膜を積層することにより上記蓄光層を形成し、該蓄光層上に印刷層，保護層を積層形成する。
【００７８】
なお、上記各実施形態では、自動二輪車のメインスイッチ装置のキーシリンダに適用した場合を例に説明したが、本発明はこれに限られるものではなく、例えば、自動車のフロントドアのドアキーのように屋外で長期間使用することが多いキーシリンダであれば何れにも適用可能である。
【図面の簡単な説明】
【００７９】
【図１】本発明の第１実施形態による蓄光シートの積層構成図である。
【図２】上記蓄光シートの平面図である。
【図３】上記キーシリンダの一部断面図である。
【図４】上記キーシリンダを備えたメインスイッチの平面図である。
【図５】上記キーシリンダを備えたメインスイッチの正面図である。
【図６】上記キーシリンダを備えたメインスイッチの側面図である。
【図７】シートに着座した状態で見た自動二輪車のレッグシールドの背面図である。
【図８】上記キーシリンダが配設された自動二輪車の側面図である。
【図９】上記実施形態の効果を示す蓄光シートの図である。
【図１０】上記実施形態の蓄光シートの比較例を示す図である。
【図１１】上記蓄光シートの変形例を示す図である。
【図１２】上記蓄光シートの変形例を示す図である。
【図１３】上記蓄光シートの変形例を示す図である。
【図１４】上記キーシリンダのキー挿入面の変形例を示す断面図である。
【図１５】上記キーシリンダの外表面の変形例を示す断面図である。
【図１６】上記外表面の変形例を示す断面図である。
【図１７】上記キーシリンダのつなぎ面の変形例を示す断面図である。
【図１８】上記つなぎ面の変形例を示す断面図である。
【図１９】本発明の第２実施形態による蓄光シートの積層構成図である。
【図２０】本発明の第３実施形態による蓄光シートの積層構成図である。
【図２１】本発明の第４実施形態を示す積層構成図である。
【図２２】本発明の第５実施形態による蓄光シートの積層構成図である。
【図２３】本発明の第６実施形態による蓄光シートの積層構成図である。
【符号の説明】
【００８０】
２３ｃ    外表面
２３ｅ    つなぎ面
２５      キーシリンダ
２７ａ    キー挿入孔
２７ａ′  キー挿入面
２９      キー
３３，４０，４１，４２，４３，４４，５０，５１，５２，５３    蓄光シート
４２ａ，４２ｂ，４２ｃ，４２ｄ    蓄光部
３４      保護層
３５      印刷層
３６      蓄光層
３７      紫外線遮断層
３８      粘着層
【図１】
2005042527.tif 000003
【図２】
2005042527.tif 000004
【図３】
2005042527.tif 000005
【図４】
2005042527.tif 000006
【図５】
2005042527.tif 000007
【図６】
2005042527.tif 000008
【図７】
2005042527.tif 000009
【図８】
2005042527.tif 000010
【図９】
2005042527.tif 000011
【図１０】
2005042527.tif 000012
【図１１】
2005042527.tif 000013
【図１２】
2005042527.tif 000014
【図１３】
2005042527.tif 000015
【図１４】
2005042527.tif 000016
【図１５】
2005042527.tif 000017
【図１６】
2005042527.tif 000018
【図１７】
2005042527.tif 000019
【図１８】
2005042527.tif 000020
【図１９】
2005042527.tif 000021
【図２０】
2005042527.tif 000022
【図２１】
2005042527.tif 000023
【図２２】
2005042527.tif 000024
【図２３】
2005042527.tif 000025